(57)【要約】      （修正有）【課題】オゾンによって石鹸水をプローブによって濃い泡を生成し、これを顔に塗り、且つプローブによってマッサージすることによって洗顔処理をするオゾン発生器とプローブとの組合せを提供する。【解決手段】オゾン供給ハンドル１１と空気供給ハンドル１２及びパワータイマー１３を設けると共に、オゾン供給口１４を有するオゾン発生器１０と、該オゾン発生器に連結し、オゾンと空気の排出によって微細径の泡を作り、泡を顔面に塗布し、泡を除去し、オゾンと空気で顔面を冷却するプローブとの組合せを特徴とするものである。【選択図】図１
0003133332.tif 000002
【実用新案登録請求の範囲】
【請求項１】
オゾン供給ハンドルと空気供給ハンドル及びパワータイマーを設けると共に、オゾン供給口を設けたオゾン発生器と、該オゾン発生器に連結し、オゾンと空気の気体によって石鹸水で泡を作り、泡を顔面に均等に塗布し、泡を除去し、オゾンと空気による気体で顔面を冷却するプローブとの組合せ。
【請求項２】
請求項１記載の泡は、容器に石鹸と熱湯を入れ、オゾンと空気との排出するプローブの回動により生成することを特徴とする請求項１のオゾン発生器とプローブとの組合せ。
【考案の詳細な説明】
【利用分野】
【０００１】    本考案は、美顔用として使用するもので、オゾンの効果がある泡をプローブで作り顔面の肌を包み込む泡を以って肌の深部の汚れを落し、洗顔及び美顔効果を高める洗顔用のオゾン発生器とプローブとの組合せに関するものである。
【背景技術】
【０００２】  従来この種のオゾンを発生させて、洗顔するものでは、送風機と洗顔用の気泡発生プローブを組合せて使用するのが普通に行われている現状である。
また、オゾンを気体として使用したり、水に溶解させて使用したものでは、オゾンの気体の場合は、オゾンが直ぐに散失するため、吸引、吹き付けの用途のみで、オゾンによる皮膚洗浄の効果は、充分に達成できない。
更に、オゾンを水に溶解させたオゾン水の場合は、直ぐに発散しないが、長時間に亘っての殺菌力を継続維持することは不可能であり、用途が限定されるものである。
【考案の開示】
【考案が解決しよとうする課題】
【０００３】  本考案は、上記従来の各種の問題点に鑑みてなされたものであり、その主たる目的とする所は、美顔のため洗顔する部分にオゾン発生器と組合されたプローブよりオゾンと気体とを混合した気体を気泡筒より噴散させ、これにより容器内の石鹸と熱湯とを撹拌して濃い泡を作り、これを顔の要所にコットンを用いてクレンジングを実施すると共に、顔面に泡を均等に塗着して皮膚温度を高め毛穴等の汚れを浮き出させて泡を取り除き、プローブより空気を吹き付けて毛穴を閉じ、皮膚洗浄を完成して、美顔、美肌処理をオゾン発生器とプローブとによる気泡発生によって達成する洗顔用のオゾン発生器とプローブとの組合せを提供しようとするものである。
【課題を解決するための手段】
【０００４】  上記目的を達成するために、本考案は、オゾン発生器とプローブとを組合せたものであって、該オゾン発生器によってオゾンと空気とを混合した気体をホース部によってプローブに送られ、一方容器内に石鹸と熱湯とを入れた中に該プローブを入れ、先端の気泡筒よりの発生する気体により濃い微細径の泡を作る。該泡を顔面に塗布又は除去することによって、毛穴の汚れを浮き出させる。また、該泡を除去し、プローブによって空気を噴出して冷却し毛穴を閉じて皮膚の表面を清浄にするものである。
【考案の効果】
【０００５】  以上説明したように本考案の洗顔用のオゾン発生器とプローブとの組合せによれば、従来の如く、薬剤を使用せず、且つオゾンを気体として使用する場合と、オゾンを水に溶解したオゾン水の如く、長時間に亘って殺菌力を保持できない欠点を解決できる効果がある。そして、顔面の肌に斑なく泡を載せるので皮膚の表面温度が上昇し、毛穴が開放し汚れが自然に浮き出る。その結果くすみが取れるのと、オゾンによる漂白効果によっての美白効果がある。また、オゾン供給ハンドルと空気供給ハンドル及びパワータイマーを設けたオゾン発生器によっては、オゾン量と空気量とを必要に応じて自由に適宜調節できると云う便利な効果もある。更に、オゾン発生器に設けてあるオゾン供給口にプローブの差込部を接続して、プローブの気泡によって、容器内の石鹸水を撹拌して微細径のクリーム状の綺麗な泡が容易に完成でき、且つプローブと泡を以って顔全体と瞼、鼻、口の廻りも充分にマッサージが出来る便利な効果もある。更に、プローブの空気の噴出孔を以って顔の各所に空気を吹き付けて表面を引き締めることが出来、顔の輪郭を引き上げるリフティング効果がある。
【考案を実施するための最良の形態】
【０００６】  上記のようにされた、オゾン発生器とプローブとによれば、容器（７）に５０ｃｃ熱湯を入れ、その内部に石鹸を挿入して乳化状態とした後、オゾン発生器（１０）よりオゾン供給と空気供給し、乳化した石鹸水の中で該プローブよりの気体で撹拌し、多量の泡を生成する。最初各ポイントに泡を馴染ませたコットンでクレンジングし、次いで、大量の泡を顔全体に塗布し、プローブを持って泡を取り除きながらクレンジングして肌の深部の汚れを掃除するものである。最後に、該プローブに水を含ませたコットンを巻き付け、空気の噴射と共に水を吹き付けながら石鹸分等の汚れを取り除くものである。
【実施例】
【０００７】  次に、本考案の実施例を図面について説明すると、図１に示す如く、オゾン発生器（１０）は大小各種の方形状の筐体を有し、正面には、オゾン供給ハンドル（１１）、空気供給ハンドル（１２）及びパワータイマー（１３）とを各々並設してある。また、該オゾン発生器（１０）には、表面の下部にオゾン供給口（１４）を装設すると共に、上面に携帯に便利な各種の把手部（１５）を設けてある。【０００８】  次に、図２に示す実施例は、該オゾン発生器（１０）に設けたオゾン供給口（１４）に差込部（６）を以って接続されるプローブ（１）は、外周に気泡を放出する気泡筒（２）を被嵌してある。該プローブ（１）には、適宜の長さの該差込部（６）を先端に設けたホース部（５）とを連結部（３）を以って接続してある。【０００９】  また、図３に示す実施例は、各種のボール等の容器（７）の内部に熱湯と石鹸とを入れて、石鹸水を作り、該オゾン発生器（１０）に接続された該プローブ（１）を石鹸水の中で空気とオゾンを発散させて撹拌することによって多量の微細径の泡（８）を生成するものである。【００１０】  更に、図４に示す実施例は、該オゾン発生器（１０）の内部に収納されている各部を示すものであって、該オゾン発生器（１０）は、放電電極、誘電電極及び外部の高周波高圧電源から構成されてオゾンを生成するものである。オゾン希釈部（１７）は、オゾンと空気とを混合して、オゾンの濃度を皮膚に吹き付けた時に、該皮膚に損傷を与えない程度に微細気泡状態で希釈する。該オゾン濃度は、例えば、通常のオゾン殺菌の１００倍以下で制御する。
次に、空気吸入部（１６）は、該オゾン希釈部（１７）で用いる空気を吸入するものであってエアーポンプを装備してある。また、開閉バルブ（１８）は、該オゾン希釈部（１７）とプローブ（１）との間に設けられ、気体供給量制御部（１９）から送られる制御されたガス流量設定信号に従って、該開閉バルブ（１８）の弁の開度が制御されるものである。
更に、該プローブ（１）は、筒状に形成され、該オゾン希釈部（１７）で希釈されたオゾン含有の気体を噴出させ、該プローブ（１）の外周に気泡筒（２）を設け、その材料としては、ゴム性樹脂等を発泡させた多孔質の材料より構成されているものである。
【図面の簡単な説明】
【００１１】
【図１】  本考案のオゾン発生器の全体斜面図である。
【図２】  同じく本考案のプローブとホース部との全体の斜面図である。
【図３】  本考案の泡を生成する容器とプローブを示す斜面図である。
【図４】  同じく本考案の一実施例を示すオゾン発生器とプローブとの構成のブロック図である。
【符号の説明】
【００１２】１          プローブ
２          気泡筒
３          連結部
５          ホース部
６          差込部
７          容器
８          泡
１０        オゾン発生部
１１        オゾン供給ハンドル
１２        空気供給量ハンドル
１３        パワータイマー
１４        オゾン供給口
１５        把手部
【図１】
0003133332.tif 000003
【図２】
0003133332.tif 000004
【図３】
0003133332.tif 000005
【図４】
0003133332.tif 000006
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
オゾン供給ハンドルと空気供給ハンドル及びパワータイマーを設けると共に、オゾン供給口を設けたオゾン発生器と、該オゾン発生器に連結し、オゾンと空気の気体によって石鹸水で泡を作り、泡を顔面に均等に塗布し、泡を除去し、オゾンと空気による気体で顔面を冷却する流体放出器との組合せ。
【請求項２】
請求項１記載の泡は、容器に石鹸と熱湯を入れ、オゾンと空気との排出する流体放出器の回動により生成することを特徴とする請求項１のオゾン発生器と流体放出器との組合せ。
【手続補正２】
【補正対象書類名】明細書
【補正対象項目名】全文
【補正方法】変更
【補正の内容】
【考案の詳細な説明】
【利用分野】
【０００１】    本考案は、美顔用として使用するもので、オゾンの効果がある泡を流体放出器で作り顔面の肌を包み込む泡を以って肌の深部の汚れを落し、洗顔及び美顔効果を高める洗顔用のオゾン発生器と流体放出器との組合せに関するものである。
【背景技術】
【０００２】  従来この種のオゾンを発生させて、洗顔するものでは、送風機と洗顔用の気泡発生流体放出器を組合せて使用するのが普通に行われている現状である。  また、オゾンを気体として使用したり、水に溶解させて使用したものでは、オゾンの気体の場合は、オゾンが直ぐに散失するため、吸引、吹き付けの用途のみで、オゾンによる皮膚洗浄の効果は、充分に達成できない。  更に、オゾンを水に溶解させたオゾン水の場合は、直ぐに発散しないが、長時間に亘っての殺菌力を継続維持することは不可能であり、用途が限定されるものである。
【考案の開示】
【考案が解決しよとうする課題】
【０００３】  本考案は、上記従来の各種の問題点に鑑みてなされたものであり、その主たる目的とする所は、美顔のため洗顔する部分にオゾン発生器と組合された流体放出器よりオゾンと気体とを混合した気体を気泡筒より噴散させ、これにより容器内の石鹸と熱湯とを撹拌して濃い泡を作り、これを顔の要所にコットンを用いてクレンジングを実施すると共に、顔面に泡を均等に塗着して皮膚温度を高め毛穴等の汚れを浮き出させて泡を取り除き、流体放出器より空気を吹き付けて毛穴を閉じ、皮膚洗浄を完成して、美顔、美肌処理をオゾン発生器と流体放出器とによる気泡発生によって達成する洗顔用のオゾン発生器と流体放出器との組合せを提供しようとするものである。
【課題を解決するための手段】
【０００４】  上記目的を達成するために、本考案は、オゾン発生器と流体放出器とを組合せたものであって、該オゾン発生器によってオゾンと空気とを混合した気体をホース部によって流体放出器に送られ、一方容器内に石鹸と熱湯とを入れた中に該流体放出器を入れ、先端の気泡筒よりの発生する気体により濃い微細径の泡を作る。該泡を顔面に塗布又は除去することによって、毛穴の汚れを浮き出させる。また、該泡を除去し、流体放出器によって空気を噴出して冷却し毛穴を閉じて皮膚の表面を清浄にするものである。
【考案の効果】
【０００５】  以上説明したように本考案の洗顔用のオゾン発生器と流体放出器との組合せによれば、従来の如く、薬剤を使用せず、且つオゾンを気体として使用する場合と、オゾンを水に溶解したオゾン水の如く、長時間に亘って殺菌力を保持できない欠点を解決できる効果がある。そして、顔面の肌に斑なく泡を載せるので皮膚の表面温度が上昇し、毛穴が開放し汚れが自然に浮き出る。その結果くすみが取れるのと、オゾンによる漂白効果によっての美白効果がある。また、オゾン供給ハンドルと空気供給ハンドル及びパワータイマーを設けたオゾン発生器によっては、オゾン量と空気量とを必要に応じて自由に適宜調節できると云う便利な効果もある。更に、オゾン発生器に設けてあるオゾン供給口に流体放出器の差込部を接続して、流体放出器の気泡によって、容器内の石鹸水を撹拌して微細径のクリーム状の綺麗な泡が容易に完成でき、且つ流体放出器と泡を以って顔全体と瞼、鼻、口の廻りも充分にマッサージが出来る便利な効果もある。更に、流体放出器の空気の噴出孔を以って顔の各所に空気を吹き付けて表面を引き締めることが出来、顔の輪郭を引き上げるリフティング効果がある。
【考案を実施するための最良の形態】
【０００６】  上記のようにされた、オゾン発生器と流体放出器とによれば、容器（７）に５０ｃｃ熱湯を入れ、その内部に石鹸を挿入して乳化状態とした後、オゾン発生器（１０）よりオゾン供給と空気供給し、乳化した石鹸水の中で該流体放出器よりの気体で撹拌し、多量の泡を生成する。最初各ポイントに泡を馴染ませたコットンでクレンジングし、次いで、大量の泡を顔全体に塗布し、流体放出器を持って泡を取り除きながらクレンジングして肌の深部の汚れを掃除するものである。最後に、該流体放出器に水を含ませたコットンを巻き付け、空気の噴射と共に水を吹き付けながら石鹸分等の汚れを取り除くものである。
【実施例】
【０００７】  次に、本考案の実施例を図面について説明すると、図１に示す如く、オゾン発生器（１０）は大小各種の方形状の筐体を有し、正面には、オゾン供給ハンドル（１１）、空気供給ハンドル（１２）及びパワータイマー（１３）とを各々並設してある。また、該オゾン発生器（１０）には、表面の下部にオゾン供給口（１４）を装設すると共に、上面に携帯に便利な各種の把手部（１５）を設けてある。【０００８】  次に、図２に示す実施例は、該オゾン発生器（１０）に設けたオゾン供給口（１４）に差込部（６）を以って接続される流体放出器（１）は、外周に気泡を放出する気泡筒（２）を被嵌してある。該流体放出器（１）には、適宜の長さの該差込部（６）を先端に設けたホース部（５）とを連結部（３）を以って接続してある。【０００９】  また、図３に示す実施例は、各種のボール等の容器（７）の内部に熱湯と石鹸とを入れて、石鹸水を作り、該オゾン発生器（１０）に接続された該流体放出器（１）を石鹸水の中で空気とオゾンを発散させて撹拌することによって多量の微細径の泡（８）を生成するものである。【００１０】  更に、図４に示す実施例は、該オゾン発生器（１０）の内部に収納されている各部を示すものであって、該オゾン発生器（１０）は、放電電極、誘電電極及び外部の高周波高圧電源から構成されてオゾンを生成するものである。オゾン希釈部（１７）は、オゾンと空気とを混合して、オゾンの濃度を皮膚に吹き付けた時に、該皮膚に損傷を与えない程度に微細気泡状態で希釈する。該オゾン濃度は、例えば、通常のオゾン殺菌の１００倍以下で制御する。  次に、空気吸入部（１６）は、該オゾン希釈部（１７）で用いる空気を吸入するものであってエアーポンプを装備してある。また、開閉バルブ（１８）は、該オゾン希釈部（１７）と流体放出器（１）との間に設けられ、気体供給量制御部（１９）から送られる制御されたガス流量設定信号に従って、該開閉バルブ（１８）の弁の開度が制御されるものである。  更に、該流体放出器（１）は、筒状に形成され、該オゾン希釈部（１７）で希釈されたオゾン含有の気体を噴出させ、該流体放出器（１）の外周に気泡筒（２）を設け、その材料としては、ゴム性樹脂等を発泡させた多孔質の材料より構成されているものである。
【図面の簡単な説明】
【００１１】
【図１】本考案のオゾン発生器の全体斜面図である。
【図２】同じく本考案の流体放出器とホース部との全体の斜面図である。
【図３】本考案の泡を生成する容器と流体放出器を示す斜面図である。
【図４】同じく本考案の一実施例を示すオゾン発生器と流体放出器との構成のブロック図である。
【符号の説明】
【００１２】１流体放出器２        気泡筒３        連結部５        ホース部６        差込部７        容器８        泡１０      オゾン発生部１１      オゾン供給ハンドル１２      空気供給量ハンドル１３      パワータイマー１４      オゾン供給口１５      把手部
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
オゾン供給ハンドルと空気供給ハンドル及びパワータイマーを設けると共に、オゾン供給口を設けたオゾン発生器と、該オゾン発生器に連結し、オゾンと空気の気体によって石鹸水で泡を作り、泡を顔面に均等に塗布し、泡を除去し、オゾンと空気による気体で顔面を冷却する洗顔用のオゾン発生器と流体放出器との組合せ。
【請求項２】
請求項１記載の泡は、容器に石鹸と熱湯を入れ、オゾンと空気との排出する流体放出器の回動により生成することを特徴とする請求項１の洗顔用のオゾン発生器と流体放出器との組合せ。
【手続補正書】
【提出日】平成19年3月16日(2007.3.16)
【手続補正１】
【補正対象書類名】実用新案登録請求の範囲
【補正対象項目名】全文
【補正方法】変更
【補正の内容】
【実用新案登録請求の範囲】
【請求項１】
オゾン供給ハンドルと空気供給ハンドル及びパワータイマーを設けると共に、オゾン供給口を設けたオゾン発生器と、先端に気泡筒を設け、該気泡筒には、連結部を介してホース部を接続し、該ホース部には、後端に差込部を設けた流体放出器とよりなる洗顔用のオゾン発生器と流体放出器との組合せ。